(57)【要約】【課題】小型で携帯性が良く、多くの人が一度に画像を楽しむことが可能な画像再生機能を有して、廉価なカメラを提供することである。【解決手段】このカメラ１０は、被写体に向けて補助照明光を投影するストロボ発光部１３を有し、その投影光を用いて上記被写体の像を取得する。ダイヤル１４によってストロボ発光部１３のリフレクタ１３ｂを下方に向けると、スロトボ発光部１３のキセノン管１３ａから照射された光が、ライトガイド１６を介してＤＭＤ１７に投影される。それと共に、ＤＭＤ１７の角度が制御されて反射され、投影レンズ１２を介して画像が前方に投影される。【選択図】      図１
2005250392.tif 000002
【特許請求の範囲】
【請求項１】
被写体に向けて補助照明光を投影する光源を有し、その投影光を用いて上記被写体の像を取得可能なカメラに於いて、
上記被写体像を投影面に向けて投影する投影光源としてのプロジェクタ手段を具備し、該プロジェクタ手段の投影光源を上記補助照明光の光源と共通にしたことを特徴とするカメラ。
【請求項２】
上記被写体像を投影する場合には、上記光源からの投影光路を上記プロジェクタ手段側に切り替えることを特徴とする請求項１に記載のカメラ。
【請求項３】
上記光源はストロボ装置であって、該ストロボ装置は上記被写体像の取得の際には閃光発光し、上記被写体像の投影の際には連続発光することを特徴とする請求項１に記載のカメラ。
【請求項４】
上記光源は、白色ＬＥＤで構成されることを特徴とする請求項１に記載のカメラ。
【請求項５】
撮影レンズを介して被写体像を取得可能なカメラに於いて、
上記被写体像を投影面に向けて投影するプロジェクタ手段を具備し、該プロジェクタ手段の投影レンズを上記撮影レンズと共用するようにしたことを特徴とするカメラ。
【請求項６】
上記プロジェクタ手段は、上記被写体像を再生する画像形成手段と該画像形成手段に向けて投影光を照射する光源とを具備したことを特徴とする請求項５に記載のカメラ。
【請求項７】
上記光源は、白色ＬＥＤで構成されることを特徴とする請求項６に記載のカメラ。
【請求項８】
撮影レンズを介して被写体像を取得する撮影機能と、上記撮影レンズを介して被写体像を投影面に向けて投影するプロジェクタ機能を有したカメラに於いて、
光源と、
上記光源を撮影時の補助光として発光させる第１の発光制御手段と、
上記光源を画像投影時の投影光として発光させる第２の発光制御手段と、
を具備することを特徴とするカメラ。
【請求項９】
上記第１の発光制御手段は上記光源を閃光発光させ、上記第２の制御手段は上記光源を連続発光させることを特徴とする請求項８に記載のカメラ。
【請求項１０】
上記第１の発光制御手段用の第１の電源回路と、上記第２の発光制御手段用の第２の電源回路を更に具備しており、上記第１の電源回路は充電回路を含み、上記第２の電源回路は安定化回路を含むことを特徴とする請求項８に記載のカメラ。
【請求項１１】
上記光源は、白色ＬＥＤで構成されることを特徴とする請求項８に記載のカメラ。
【請求項１２】
被写体に向けて補助照明光を投影する光源を有し、その投影光を用いて上記被写体を撮影して被写体像を取得可能なカメラに於いて、
上記光源は、上記被写体像を投影面に向けて投影する投影光源を兼用することを特徴とするカメラ。
【請求項１３】
上記光源はストロボ装置であって、該ストロボ装置は上記被写体像の取得の際には閃光発光し、上記被写体像の投影の際には連続発光することを特徴とする請求項１２に記載のカメラ。
【請求項１４】
上記被写体像を撮影する場合の補助照明光用の第１の投影光路と、上記被写体像を上記投影面に投影するための第２の投影光路を有することを特徴とする請求項１２に記載のカメラ。
【請求項１５】
上記被写体像を投影する場合に、上記第１の投影光路から上記第２の投影光路に切り替える切り替え手段を更に具備することを特徴とする請求項１４に記載のカメラ。
【請求項１６】
上記切り替え手段は、上記第１の投影光路と上記第２の投影光路との間を移動可能な撮影レンズを含むことを特徴とする請求項１５に記載のカメラ。
【請求項１７】
上記光源は閃光発光管と、該閃光発光管から照射された光を所定方向に反射する反射手段とを有し、
上記切り替え手段は、上記反射手段の角度を切り替えることによって、上記第１の投影光路と第２の投影光路を切り替えることを特徴とする請求項１５に記載のカメラ。
【請求項１８】
上記光源は、白色ＬＥＤで構成されることを特徴とする請求項１２に記載のカメラ。
【請求項１９】
撮影レンズを介して被写体像を取得する撮影機能と、上記撮影レンズを介して被写体像を投影面に向けて投影するプロジェクタ機能を有したカメラに於いて、
光源と、
上記光源を撮影時の補助光として発光させる第１の発光制御手段と、
上記被写体像を撮影する場合に上記第１の発光制御手段で発光された補助光を導く第１の投影光路と、
上記光源を画像投影時の投影光として発光させる第２の発光制御手段と、
上記被写体像を上記投影面に投影するために上記第２の発光制御手段で発光された投影光を導く第２の投影光路と、
を具備することを特徴とするカメラ。
【請求項２０】
上記被写体像を投影する場合に、上記第１の投影光路から上記第２の投影光路に切り替える切り替え手段を更に具備することを特徴とする請求項１９に記載のカメラ。
【請求項２１】
上記切り替え手段は、上記第１の投影光路と上記第２の投影光路との間を移動可能な撮影レンズを含むことを特徴とする請求項２０に記載のカメラ。
【請求項２２】
上記第１の発光制御手段は上記光源を閃光発光させ、上記第２の制御手段は上記光源を連続発光させることを特徴とする請求項１９に記載のカメラ。
【請求項２３】
上記第１の発光制御手段用の第１の電源回路と、上記第２の発光制御手段用の第２の電源回路を更に具備し、
上記第１の電源回路は充電回路を含み、上記第２の電源回路は安定化回路を含むことを特徴とする請求項１９に記載のカメラ。
【請求項２４】
上記光源は、白色ＬＥＤで構成されることを特徴とする請求項１９に記載のカメラ。
【発明の詳細な説明】
【技術分野】
【０００１】
この発明は、撮影画像を投影可能なカメラの改良に関するものである。
【背景技術】
【０００２】
近年、カメラのデジタル化、小型化によって、従来のカメラとは異なるカテゴリの製品が世に数多く問われている。デジタルカメラでは、画像を電気信号化することにより、再生が容易になり、ＬＣＤパネル上で見て、撮影した写真をすぐに楽しめるようになった。
【０００３】
しかし、カメラを小型化すると、電子部の面積も小さくなり、多くの人が一度に楽しむような仕様にすることができなかった。
【０００４】
これに対し、小型の機器から大きな画像表示を行うために、カメラにプロジェクタを組み込む提案がなされている（例えば、特許文献１参照）。
【０００５】
また、カメラを小型化、低コスト化するために、カメラが有するストロボ機能を有効利用して、機器の大きさを小さく、低コスト化する技術が開発されており、ストロボ光を本来の被写体照明用以外に用いる例が知られている（例えば、特許文献２参照）。
【特許文献１】特開平６−８６１０８号公報
【特許文献２】特開平７−１６８２５８号公報
【発明の開示】
【発明が解決しようとする課題】
【０００６】
しかしながら、上述した特許文献１に記載の技術は、カメラにプロジェクタを組み込むものの、カメラ自体を小型化するものではなかった。
【０００７】
また、上記特許文献２に記載の技術は、ターゲットマークを投影するもので、種々の画像を投影するものではなかった。
【０００８】
したがってこの発明は、小型で携帯性が良く、多くの人が一度に画像を楽しむことが可能な画像再生機能を有して、廉価なカメラを提供することを目的とする。
【課題を解決するための手段】
【０００９】
すなわち、請求項１に記載の発明は、被写体に向けて補助照明光を投影する光源を有し、その投影光を用いて上記被写体の像を取得可能なカメラに於いて、上記被写体像を投影面に向けて投影する投影光源としてのプロジェクタ手段を具備し、該プロジェクタ手段の投影光源を上記補助照明光の光源と共通にしたことを特徴とする。
【００１０】
請求項２に記載の発明は、請求項１に記載の発明に於いて、上記被写体像を投影する場合には、上記光源からの投影光路を上記プロジェクタ手段側に切り替えることを特徴とする。
【００１１】
請求項３に記載の発明は、請求項１に記載の発明に於いて、上記光源はストロボ装置であって、該ストロボ装置は上記被写体像の取得の際には閃光発光し、上記被写体像の投影の際には連続発光することを特徴とする。
【００１２】
請求項４に記載の発明は、請求項１に記載の発明に於いて、上記光源は、白色ＬＥＤで構成されることを特徴とする。
【００１３】
請求項５に記載の発明は、撮影レンズを介して被写体像を取得可能なカメラに於いて、上記被写体像を投影面に向けて投影するプロジェクタ手段を具備し、該プロジェクタ手段の投影レンズを上記撮影レンズと共用するようにしたことを特徴とする。
【００１４】
請求項６に記載の発明は、請求項５に記載の発明に於いて、上記プロジェクタ手段は、上記被写体像を再生する画像形成手段と該画像形成手段に向けて投影光を照射する光源とを具備したことを特徴とする。
【００１５】
請求項７に記載の発明は、請求項６に記載の発明に於いて、上記光源は、白色ＬＥＤで構成されることを特徴とする。
【００１６】
請求項８に記載の発明は、撮影レンズを介して被写体像を取得する撮影機能と、上記撮影レンズを介して被写体像を投影面に向けて投影するプロジェクタ機能を有したカメラに於いて、光源と、上記光源を撮影時の補助光として発光させる第１の発光制御手段と、上記光源を画像投影時の投影光として発光させる第２の発光制御手段と、を具備することを特徴とする。
【００１７】
請求項９に記載の発明は、請求項８に記載の発明に於いて、上記第１の発光制御手段は上記光源を閃光発光させ、上記第２の制御手段は上記光源を連続発光させることを特徴とする。
【００１８】
請求項１０に記載の発明は、請求項８に記載の発明に於いて、上記第１の発光制御手段用の第１の電源回路と、上記第２の発光制御手段用の第２の電源回路を更に具備しており、上記第１の電源回路は充電回路を含み、上記第２の電源回路は安定化回路を含むことを特徴とする。
【００１９】
請求項１１に記載の発明は、請求項８に記載の発明に於いて、上記光源は、白色ＬＥＤで構成されることを特徴とする。
【００２０】
請求項１２に記載の発明は、被写体に向けて補助照明光を投影する光源を有し、その投影光を用いて上記被写体を撮影して被写体像を取得可能なカメラに於いて、上記光源は、上記被写体像を投影面に向けて投影する投影光源を兼用することを特徴とする。
【００２１】
請求項１３に記載の発明は、請求項１２に記載の発明に於いて、上記光源はストロボ装置であって、該ストロボ装置は上記被写体像の取得の際には閃光発光し、上記被写体像の投影の際には連続発光することを特徴とする。
【００２２】
請求項１４に記載の発明は、請求項１２に記載の発明に於いて、上記被写体像を撮影する場合の補助照明光用の第１の投影光路と、上記被写体像を上記投影面に投影するための第２の投影光路を有することを特徴とする。
【００２３】
請求項１５に記載の発明は、請求項１４に記載の発明に於いて、上記被写体像を投影する場合に、上記第１の投影光路から上記第２の投影光路に切り替える切り替え手段を更に具備することを特徴とする。
【００２４】
請求項１６に記載の発明は、請求項１５に記載の発明に於いて、上記切り替え手段は、上記第１の投影光路と上記第２の投影光路との間を移動可能な撮影レンズを含むことを特徴とする。
【００２５】
請求項１７に記載の発明は、請求項１５に記載の発明に於いて、上記光源は閃光発光管と、該閃光発光管から照射された光を所定方向に反射する反射手段とを有し、上記切り替え手段は、上記反射手段の角度を切り替えることによって、上記第１の投影光路と第２の投影光路を切り替えることを特徴とする。
【００２６】
請求項１８に記載の発明は、請求項１２に記載の発明に於いて、上記光源は、白色ＬＥＤで構成されることを特徴とする。
【００２７】
請求項１９に記載の発明は、撮影レンズを介して被写体像を取得する撮影機能と、上記撮影レンズを介して被写体像を投影面に向けて投影するプロジェクタ機能を有したカメラに於いて、光源と、上記光源を撮影時の補助光として発光させる第１の発光制御手段と、上記被写体像を撮影する場合に上記第１の発光制御手段で発光された補助光を導く第１の投影光路と、上記光源を画像投影時の投影光として発光させる第２の発光制御手段と、上記被写体像を上記投影面に投影するために上記第２の発光制御手段で発光された投影光を導く第２の投影光路と、を具備することを特徴とする。
【００２８】
請求項２０に記載の発明は、請求項１９に記載の発明に於いて、上記被写体像を投影する場合に、上記第１の投影光路から上記第２の投影光路に切り替える切り替え手段を更に具備することを特徴とする。
【００２９】
請求項２１に記載の発明は、請求項２０に記載の発明に於いて、上記切り替え手段は、上記第１の投影光路と上記第２の投影光路との間を移動可能な撮影レンズを含むことを特徴とする。
【００３０】
請求項２２に記載の発明は、請求項１９に記載の発明に於いて、上記第１の発光制御手段は上記光源を閃光発光させ、上記第２の制御手段は上記光源を連続発光させることを特徴とする。
【００３１】
請求項２３に記載の発明は、請求項１９に記載の発明に於いて、上記第１の発光制御手段用の第１の電源回路と、上記第２の発光制御手段用の第２の電源回路を更に具備し、上記第１の電源回路は充電回路を含み、上記第２の電源回路は安定化回路を含むことを特徴とする。
【００３２】
請求項２４に記載の発明は、請求項１９に記載の発明に於いて、上記光源は、白色ＬＥＤで構成されることを特徴とする。
【００３３】
この発明のカメラにあっては、撮影時に、露出用の光が不足する場合に被写体に照射するストロボ光源をプロジェクタの光源として利用することによって、小さいスペースにプロジェクタ機能を収納して、小型で携帯性が良く、みんなで楽しめる撮影機能付の映像再生機器を提供可能となる。
【発明の効果】
【００３４】
この発明によれば、撮影時に於いて、被写体を照明するストロボ装置等の光源を有効に利用して、再生画像投影を可能としたので、小型でありながら、多くの人と画像を鑑賞することが可能な再生装置を兼用したカメラを提供することができる。
【発明を実施するための最良の形態】
【００３５】
以下、図面を参照してこの発明の実施形態を説明する。
【００３６】
（第１の実施形態）
図１はこの発明の第１の実施形態に於けるカメラの構成を示すもので、（ａ）は外観斜視図、（ｂ）は（ａ）のＡ−Ａ′線に沿った断面図である。
【００３７】
カメラ１０には、その前面部に撮影レンズ１１と、プロジェクタ用レンズ（投影レンズ）１２と、ストロボ発光部１３とが設けられている。このカメラ１０の側面部には、上記ストロボ発光部６の発光の方向を変化させるためのダイヤル１４が設けられている。また、カメラ１０の上面部には、レリーズ釦１５が設けられている。
【００３８】
また、カメラ１０の内部は、上記ストロボ発光部１３と、ライトガイド１６と、デジタルミラーデバイス（ＤＭＤ）１７が、それぞれ配置されている。そして、カメラ１０の背面側には、液晶モニタ１９が配置されている。
【００３９】
上記レリーズ釦１５が操作されると、撮影レンズ１１を介して被写体像が内部の撮像素子に結像されて撮影が行われる。ここで、被写体を照らす光の量が少ないと、露出光が不足したり、手ブレが発生するので、ストロボ発光部１３から、撮影時に補助的な光が照射される。加えて、上記ストロボ発光部１３は、ダイヤル１４によって発光の方向が変えられるようになっている。
【００４０】
ストロボ発光部１３は、キセノン管（Ｘｅ管）１３ａとリフレクタ１３ｂとから構成されている。このリフレクタ１３ｂがダイヤル１４の操作により回動されて、図１（ｂ）に於いて下方に向けて発光が行われると、この光はライトガイド１６を通して、画像形成手段であるデジタルミラーデバイス（ＤＭＤ）１７に向けて投影されるようになる。
【００４１】
上記ＤＭＤ１７は微小な反射ミラーが画素を構成しており、個々の画素ミラーによって投影レンズ１２に対して光を反射させる場合には明るい像が、その他の部分に反射させる場合には暗い像が投影されることとなる。専用回路によって、個々の画素ミラーは、独立して制御することができる。
【００４２】
尚、上記ストロボ発光部１３と、ライトガイド１６と、ＤＭＤ１７及び投影レンズ１２により、プロジェクタ手段が構成されている。
【００４３】
図２はこのような構成のカメラの制御系の概略構成を示したもので、（ａ）はカメラとして使用される場合の構成を示した図、（ｂ）はプロジェクタとして使用される場合の構成を示した図である。
【００４４】
ＣＰＵ２０は、マイクロコンピュータ等の演算制御手段で構成される。また、このＣＰＵ２０は、後述するように、カメラとしての撮影時とプロジェクタとしての投影時のストロボ発光部１３の発光を制御する、第１及び第２の発光制御手段としても機能する。
【００４５】
このＣＰＵ２０には、上記レリーズ釦１５に対応したレリーズスイッチ１５ａと、撮影レンズ１１を駆動するためのレンズドライバ（ＬＤ）１１ａが接続されていると共に、画像処理回路２１及びストロボ発光部１３が接続されている。そして、上記画像処理回路２１の出力は、ＬＣＤ１９及びＤＭＤ１７に供給される。
【００４６】
このカメラをカメラとして使用する場合は、図２（ａ）に示されるように、ダイヤル１４によってストロボ発光部１３（リフレクタ１３ｂ）が前方に向けられている。この場合、ストロボ光は、図３（ａ）に示されるように、撮影時に撮影者２５が把持したカメラ１０から前方に照射されて被写体２４を照射する。
【００４７】
そして、撮影レンズ１１より入射された被写体２４からの撮影光束は、イメージャ２２に取り込まれた後、画像処理回路２１に入力される。ＣＰＵ２０では、レリーズスイッチ１５ａの操作状態に応じて画像処理回路２１が制御される。これにより、イメージャ２２に入射された像が、図示されないメモリに記録されたり、ＬＣＤ１９に表示される。また、ＣＰＵ２０により、レンズドライバ１１ａを介して撮影レンズ１１が光軸方向に移動されてピント合わせ制御されたり、撮影に同期してストロボ発光部１３が発光されるようになっている。
【００４８】
このカメラを撮影時ではなくプロジェクタとして使用する場合は、図２（ｂ）に示されるように、ダイヤル１４によってストロボ発光部１３のリフレクタ１３ｂが下方に向けられる。すると、スロトボ発光部１３のキセノン管１３ａより照射される光は、ライトガイド１６を介してＤＭＤ１７に投影される。それと共に、画像処理回路２１によってＤＭＤ１７の各画素の角度が制御されて反射され、画像が投影レンズ１２によって前方に投影される。この時投影される画像は、ＬＣＤ１９によって確認、選択ができるようにしても良い。
【００４９】
このように選択された画像を、カメラ１１で撮影して鑑賞する様子が、図３（ｂ）に示される。投影された大きな画面であるので、複数の人（ユーザ）２６ａ、２６ｂが同時に楽しむことができる。また、この時、ストロボ回路には連続してエネルギーを供給する必要があるので、通常の撮影時のストロボ制御とは異なり、例えば、ＡＣ電源２８から充電器２７を介してカメラ１０に電気エネルギーを供給するようにしても良い。
【００５０】
図４は、このような構成のカメラのストロボ制御部の回路例を示した図である。
【００５１】
図４に於いて、ＣＰＵ２０には、トリガ回路３１及びＩＧＢＴ３２をそれぞれ介してストロボ発光部１３が接続されると共に、二次電池３３を介して充電制御回路３５、昇圧回路３６、スイッチ回路３８、電圧判定回路４４、測光回路４６及び距離検出回路４７が接続されている。
【００５２】
カメラとして、図３（ａ）に示されるようにカメラ１０を使用する場合には、上記二次電池３３から、ＣＰＵ２０等へ電気エネルギーが供給される。上記二次電池３３には、ＡＣ電源２８より供給される交流電圧が、ＡＣ／ＤＣコンバータ３７によって直流電圧とされ、充電制御回路３５によって充電制御がなされる。ＣＰＵ２０では、この充電の様子がモニタされ、充電制御回路３５が二次次電池３３に供給する電圧や電流が制御される。
【００５３】
また、ＣＰＵ２０は、昇圧回路３６と、ダイオード４１、４２を介して、メインコンデンサ４３に対して、二次電池３３に蓄えられエネルギーを供給する。直流電圧は数Ｖレベルであるが、メインの充電電圧は３００Ｖ程度になる。このように蓄えられた電荷は、ＣＰＵ２０が制御するトリガ回路３１によって高電圧が印加されると、キセノン管１３ａ内のガスがイオン化し、通電可能となる。これによって、キセノン管１３ａ内を流れ、ＩＧＢＴ３２がオンされている間は、強い光を放出する時のエネルギーとなる。
【００５４】
先の昇圧充電動作は、充電中にダイオード４１、４２間に発生する電圧が、電圧判定回路４４を介してＣＰＵ２０にてモニタされることによって、充電するか否かが判定され、次いで昇圧回路３６が制御されることによって行われる。
【００５５】
また、ＡＣ電源２８からは、ＡＣ／ＤＣコンバータ３７によって１００Ｖの直流電圧が作られるので、スイッチ回路３８がＣＰＵ２０により制御されることによって、ダイオード４０を介してメインコンデンサ４３にこの電圧が印加できるようになっている。ＣＰＵ２０によるＩＧＢＴ３２のオン、オフ制御によって、キセノン管１３ｂには電流が流れたり止まったりして、発光形態を切り替えることができる。
【００５６】
つまり、撮影時には、図５（ａ）に示されるように、露出に同期して一回のみパルス発光されることによって、撮影の補助光として利用される。この時の発光量は、被写体の距離に応じて切り替えればよいが、これは公知の距離検出回路４７によって得ることができる情報である。
【００５７】
また、ストロボ投影の有無は、公知の測光回路４６の出力をＣＰＵ２０によりモニタして決定するようにすれば良い。
【００５８】
一方、プロジェクタ投影時には、図５（ｂ）に示されるように、連続的にストロボ電流をオン、オフさせて、図３（ｂ）に示されるように、ユーザ２６ａ、２６ｂによる鑑賞の時間が十分なだけ発光を継続させる。
【００５９】
次に、図６のフローチャートを参照して、本実施形態に於けるカメラの動作について説明する。尚、このフローチャートに於ける処理動作は、ＣＰＵ２０の制御により実施される。
【００６０】
図示されない電源スイッチがオンされると、先ずステップＳ１にて、撮影モードであるか否かが判定される。ここで、例えば図３（ａ）に示されるように、ユーザ２５によってレリーズ釦１５が押された場合には、撮影モードであるとしてステップＳ２へ移行する。次いで、ステップＳ２に於いて、低輝度であるか否かが判定される。ここで、低輝度であると判定された場合はステップＳ３へ移行し、そうでない場合は、後述するステップＳ７へ移行する。
【００６１】
低輝度である場合は、ステップＳ３にて、続くステップＳ４での被写体の距離検出のために補助光として、ストロボ発光部１３によるストロボ光が照射される。この結果より、ステップＳ５にてピント合わせ制御が行われる。そして、ステップＳ６にてストロボ光を使用した撮影が行われる。尚、低輝度時に、ストロボ用メインコンデンサ４３に充電がされていない場合には、図示されないがＬＥＤやＰＣＶで警告を行うようにしても良い。
【００６２】
一方、上記ステップＳ２にて低輝度でないと判定された場合は、ステップＳ７にてピント合わせが行われる。次いで、ステップＳ８にてストロボ光を使用しないでの撮影が行われる。尚、このピント合わせは、測距装置（距離検出回路４７）の出力を利用しても良いし、イメージャ２２の出力が高コントラスト信号となるようにこれをモニタしながら撮影レンズ１１を制御して行っても良い。
【００６３】
上記ステップＳ６またはＳ８の撮影後は、ステップＳ９に移行して、画像処理回路２１によって画像の色補正やエッジ処理がなされたりした後、圧縮動作等が行われる。そして、ステップＳ１０にて上記ステップＳ９で直列された画像が、図示されないメモリに記録される。
【００６４】
このように、ストロボ発光部１３は、通常のカメラとして使用される際、撮影時には、暗い時にのみ発光制御されるが、図４に示されるように回路規模は大きく、これをその他の用途にも有効利用することによって、カメラのコストパフォーマンスを向上させることができる。この発明では、この光源や発光回路をプロジェクタの光源として利用して、より画像を楽しむことが可能なめカメラを廉価で提供することができる。
【００６５】
上記ステップＳ１にて撮影状態でないと判定された場合は、ステップＳ１１に於いて、プロジェクタモードであるか否かが判定される。これは、例えば、ダイヤル１４が用いられて、図２（ａ）に示される状態から図２（ｂ）に示される状態に、ストロボ発光部１３の投光方向を切り替える操作に連動して、ＣＰＵ２０がプロジェクタモードに切り替えるようにするようにすれば良い。
【００６６】
ステップＳ１１にてプロジェクタモードではないと判定された場合には、ステップＳ１９に移行して、撮影に備えてストロボ発光部１３の充電チェックがなされる。その結果、充電がまだ不十分であれば、ステップＳ２０にて図示されない発光ダイオード等によって警告され、充電が行われる。その後、上記ステップＳ１へ移行する。
【００６７】
一方、上記ステップＳ１９にて充電完了と判定されたならば、ステップＳ２１へ移行して充電の終了処理が行われる。充電中はその旨が図示されないＬＥＤ等で警告表示される。その後、上記ステップＳ１へ移行する。
【００６８】
プ上記ステップＳ１１に於いてプロジェクタモードであると判定されると、ステップＳ１２に移行して、操作スイッチによって選択された画像が投影されるように、画像選択がなされる。
【００６９】
次に、ステップＳ１３では、ＡＣ電源２８から充電されるか否かが判定される。ここで、例えば図３（ｂ）に示されるように、カメラ１０が充電器２７の上に載置されてＡＣ電源２８からエネルギーが連続的に供給される場合にはステップＳ１４へ移行し、そうでない場合はステップＳ１７へ移行する。
【００７０】
ステップＳ１４では、ストロボ発光部１３による連続発光がなされる。そして、ステップＳ１５にて発光が終了か否かが判定される。ここで、発光終了でない場合は上記ステップＳ１２へ移行し、終了の場合はステップＳ１６で終了処理がなされち後、ユーザにより終了操作が行われるまで選択画像の撮影が継続される。
【００７１】
尚、上記ステップＳ１２では、ここでは詳述しないが画像選択のサブルーチンが実行されるので、ユーザの操作によって投影像を切り替えることもできる。
【００７２】
また、上記ステップＳ１３にてＡＣ電源２８による充電がなされないと判定された場合には、ステップＳ１７へ移行して、例えば３秒間の発光投影が行われる。ここで３秒間の投影が終了すると、ステップＳ１８に移行して発光終了の処理が実行される。この後、ステップＳ２０へ移行するので、メインコンデンサ４３が充電されていない場合には、二次電池３３から昇圧してのメインコンデンサ４３の充電に入る。
【００７３】
上記フローチャートに於いて、プロジェクタモードであり、ステップＳ１２の画像選択で、ユーザが投影の操作を行ったことを判定できるようにしておき、その時のみ、また、ステップＳ１７の限定された時間（３秒間）の発光、投影ができるようにすれば、必要以上に電池のエネルギーを消耗することはない。ＡＣ電源２８の接続時には、こうした消エネルギー対策は講じなくとも良い。
【００７４】
以上説明したように、本実施形態によれば、消エネルギー効果を考慮し、電池でも、ＡＣ電源でも使用することの可能なプロジェクタ機能を有したカメラを提供することができる。
【００７５】
（第２の実施形態）
次に、この発明の第２の実施形態を説明する。
【００７６】
上述した第１の実施形態では、プロジェクタ機能の光源としてストロボ発光部を用いた例について説明した。この第２の実施形態は、加えて、撮影レンズをプロジェクタの投影レンズとして兼用した例である。
【００７７】
尚、この第２の実施形態に於けるカメラの構成は、基本的に図１に示されたものと同様であるので、異なる構成及び動作についてのみ説明し、その他の同一の部分には同一の参照番号を付して、その図示及び説明は省略する。
【００７８】
図７はこの発明の第２の実施形態を示すもので、（ａ）は撮影時のカメラの状態を示す外観斜視図、（ｂ）はプロジェクタとして使用する時のカメラの状態を示す外観斜視図、（ｃ）は（ａ）の状態での内部部品の概略配置を示した図、（ｄ）は（ｂ）の状態での内部部品の概略配置を示した図である。
【００７９】
カメラとして使用される場合は、図７（ａ）及び（ｃ）に示されるように、図示矢印Ｂ1 方向に撮影レンズ１１が移動される。これにより、図示されない被写体からの撮影光束は、撮影レンズ１１を介してイメージャ２２に取り込まれる。
【００８０】
また、このカメラ１０がプロジェクタとして使用される場合は、図７（ｂ）及び（ｄ）に示されるように、図示矢印Ｂ2 方向に撮影レンズ１１が移動される。同時に、ダイヤル１４の操作によってストロボ発光部１３のリフレクタ１３ｂが図示矢印Ｃ方向に回転される。これにより、スロトボ発光部１３のキセノン管１３ａより照射された光は、ライトガイド１６を介してＤＭＤ１７で反射され、投影レンズとしての撮影レンズ１１を介して前方に投影される。
【００８１】
このように、第２の実施形態によれば、光源以上に大型化し、コストアップすることがある撮影レンズも有効利用して、より低コストのプロジェクタ付きカメラを提供することが可能である。
【００８２】
更に、撮影レンズと投影レンズを兼用する第２の実施形態の変形例としては、図８に示されるような例も可能である。
【００８３】
図８はこの発明の第２の実施形態の変形例によるカメラの構成を示すもので、（ａ）は外観斜視図、（ｂ）はカメラとして使用する際の内部部品の概略配置を示した図、（ｃ）はプロジェクタとして使用する際の内部部品の概略配置を示した図である。
【００８４】
図８（ａ）に示されるように、このカメラ１０はストロボ発光部１３がリトラクタブル構成とされている。すなわち、このカメラ１０をカメラとして使用する場合は、ストロボ発光部１３がポップアップの状態となる。そして、図９（ｂ）に示されるように、図示されない被写体からの撮影光束は、撮影レンズ１１を介してイメージャ２２に取り込まれる。これにより、撮像が可能となる。
【００８５】
一方、ストロボ発光部１３の収納時には、図９（ｃ）に湿されるように、撮影レンズ１１が投影レンズとなって、ライトガイド１６を介してＤＭＤ１７の反射光を投影可能な構成としている。この時、ストロボ発光部１３と連動して、ＤＭＤ１７がイメージャ２２と撮影レンズ１１の光路内に挿脱するメカニズムが採用される。
【００８６】
尚、図８（ｂ）に示される状態では、ライトガイド１６から入る光はＤＭＤ１７によって遮光されるので、撮影機能に影響はない。
【００８７】
このように、本発明は撮影レンズと兼用して投影レンズを有効利用することにより、より低コスト化が可能となる。
【００８８】
（第３の実施形態）
次に、この発明の第３の実施形態を説明する。
【００８９】
この第３の実施形態は、折り畳み式のカメラ付き携帯電話機に本発明を適用した例である。
【００９０】
図９は、この発明の第３の実施形態の構成を示すもので、（ａ）は携帯電話機の操作スイッチを含む面側の外観斜視図、（ｂ）は操作スイッチを含む面を内側にして該携帯電話機を折り畳んだ状態を示した図、（ｃ）は撮影レンズ側の外観斜視図、（ｄ）は操作スイッチを含む面を外側にして該携帯電話機を折り畳んだ状態を示した図である。
【００９１】
この携帯電話機は、モニタ画面５２を含む表示部５０ａと、操作スイッチ５１ａ、５１ｂを含む操作部５０ｂとから成る本体と、上記表示部５０ａと操作部５０ｂとを接続してこの携帯電話機を折り畳み可能とする接続部５０ｃとから構成されている。尚、この接続部５０ｃは、操作スイッチ５１ａ、５１ｂを含む面を、内側にした状態、外側にした状態の何れにも折り畳み可能なものとなっている。
【００９２】
上記表示部５０ａは、撮影された画像を表示するモニタ画面５２と、スピーカ５４が操作面側に、撮影レンズ５７及び白色ＬＥＤ光源５８ａがその反対面側に、それぞれ設けられている。また、５５はアンテナである。
【００９３】
一方、操作部５０ｂには、操作決定キー等の操作スイッチ５１ａと、テンキー５１ｂと、マイクロホン５３とが操作面側に、そしてプリズム５８ｂが反対面側に、それぞれ設けられている。尚、６０は投影用レンズである。
【００９４】
このような構成に於いて、電話使用時には、マイク５３によりユーザの音声が入力され、スピーカ５４より話者の音声が出力されるようになっている。このように、本実施形態の携帯電話機では、操作部５０ｂから表示部５０ａを開いた状態で通話する。
【００９５】
この携帯電話機をカメラとして使用する場合は、撮影レンズ５７より取り込まれた画像をモニタ画面５２で確認しながら、操作スイッチ５１ａ、５１ｂが操作されて撮影が行われる。このとき、白色ＬＥＤ光源５８ａにより補助光が照射されながらの撮影ができるようになっている。
【００９６】
この携帯電話機は、携帯時は本体の表示部５０ａと操作部５０ｂとが、接続部５０ｃによって折り畳まれた状態となる。ここで、接続部５０ｃは、上述したように、表示部５０ａ及び操作部５０ｂのそれぞれの操作面側を、内側、外側の何れの方向としても折り畳み可能としている。
【００９７】
図９（ｂ）は操作面側を内側にして折り畳んだ状態であり、図９（ｄ）は操作面側を外側にして折り畳んだ状態である。そして、この図９（ｄ）に示される状態にて、プロジェクタモードでの使用を可能としている。
【００９８】
プロジェクタモードでの使用時は、撮影用の補助光である白色ＬＥＤ５８から光が照射され、投影レンズ５８ａを介してプリズム５８ｂにて反射され、更にプロジェクタ用ＬＣＤ５９を介して投影レンズ６０から投影が可能となっている。上記プロジェクタ用ＣＬＤ５９には撮影される画像が形成されているので、白色ＬＥＤ５８の光によって画像がスクリーン上に形成される。
【００９９】
このように、第３の実施形態によれば、従来、携帯電話機のモニタ画面が小さくて１人でしか楽しめなかった撮影画像を、多くの人で同時に楽しむことができる。
【０１００】
この第３の実施形態でも、高価でスペースを要する光源の数を、例えばカメラ用とプロジェクタ用に兼用して１つとするように限定し、スペース効率が良く、低コストの携帯電話機を提供することができる。
【０１０１】
また、第３の実施形態では、折り畳み式のカメラ付きの携帯電話機として説明したが、これに限られるものではなく、例えば録音機等の形態用機器に本発明のカメラを適用することも可能である。
【０１０２】
以上、この発明の実施形態について説明したが、この発明は上述した実施形態以外にも、発明の要旨を逸脱しない範囲で種々の変形実施が可能である。
【図面の簡単な説明】
【０１０３】
【図１】この発明の第１の実施形態に於けるカメラの構成を示すもので、（ａ）は外観斜視図、（ｂ）は（ａ）のＡ−Ａ′線に沿った断面図である。
【図２】図１の構成のカメラの制御系の概略構成を示したもので、（ａ）はカメラとして使用される場合の構成を示した図、（ｂ）はプロジェクタとして使用される場合の構成を示した図である。
【図３】第１の実施形態に於けるカメラの使用例を示したもので、（ａ）はカメラとして使用した例を示した図、（ｂ）はプロジェクタとして使用した例を示した図である。
【図４】第１の実施形態に於けるカメラのストロボ制御部の回路例を示した図である。
【図５】（ａ）は撮影時のストロボ発光と露出のタイミングを示した波形図、（ｂ）はプロジェクタ投影時のストロボ発光のタイミングを示した波形図である。
【図６】この発明の第１の実施形態に於けるカメラの動作について説明するフローチャートである。
【図７】この発明の第２の実施形態を示すもので、（ａ）は撮影時のカメラの状態を示す外観斜視図、（ｂ）はプロジェクタとして使用する時のカメラの状態を示す外観斜視図、（ｃ）は（ａ）の状態での内部部品の概略配置を示した図、（ｄ）は（ｂ）の状態での内部部品の概略配置を示した図である。
【図８】この発明の第２の実施形態の変形例によるカメラの構成を示すもので、（ａ）は外観斜視図、（ｂ）はカメラとして使用する際の内部部品の概略配置を示した図、（ｃ）はプロジェクタとして使用する際の内部部品の概略配置を示した図である。
【図９】この発明の第３の実施形態の構成を示すもので、（ａ）は携帯電話機の操作スイッチを含む面側の外観斜視図、（ｂ）は操作スイッチを含む面を内側にして該携帯電話機を折り畳んだ状態を示した図、（ｃ）は撮影レンズ側の外観斜視図、（ｄ）は操作スイッチを含む面を外側にして該携帯電話機を折り畳んだ状態を示した図である。
【符号の説明】
【０１０４】
１０…カメラ、１１…撮影レンズ、１１ａ…レンズドライバ、１２…プロジェクタ用レンズ、１３…ストロボ発光部、１３ａ…キセノン管（Ｘｅ管）、１３ｂ…リフレクタ、１４…ダイヤル、１５…レリーズ釦、１５ａ…レリーズスイッチ、１６…ライトガイド、１７…デジタルミラーデバイス（ＤＭＤ）、１９…液晶モニタ、２０…ＣＰＵ、２１…画像処理回路、２２…イメージャ、２７…充電器、２８…ＡＣ電源、３１…トリガ回路、３３…二次電池、３５…充電制御回路、３６…昇圧回路、３８…スイッチ回路、４４…電圧判定回路、４６…測光回路、４７…距離検出回路。
【図１】
2005250392.tif 000003
【図２】
2005250392.tif 000004
【図３】
2005250392.tif 000005
【図４】
2005250392.tif 000006
【図５】
2005250392.tif 000007
【図６】
2005250392.tif 000008
【図７】
2005250392.tif 000009
【図８】
2005250392.tif 000010
【図９】
2005250392.tif 000011